(57)【要約】【課題】ステレオ音声システムを備えた通信制御装置とモノラル音声システムを備えた通信制御装置とがネットワークを介して双方向通信する場合でも、臨場感のある音声伝送を実現すること。【解決手段】本発明は、ネットワークを介して一方の通信制御装置１０と他方の通信制御装置１０との間で映像および音声を双方向で伝送するマルチメディア通信システムにおいて、他方の通信制御装置１０におけるモノラル音声送信手段２１が、複数のマイクの位置関係に応じた割合で複数チャンネルに音声を割り当てて伝送を行い、一方の通信制御装置１０におけるステレオ音声出力手段１２が、モノラル音声送信手段２１から送信された音声を前記割合に応じてステレオスピーカ（ＳＰＫ  Ｒ、ＳＰＫ  Ｌ）から出力するものである。【選択図】図２
2007281668.tif 000002
【特許請求の範囲】
【請求項１】
ネットワークを介して一方の通信制御装置と他方の通信制御装置との間で映像および音声を双方向で伝送するマルチメディア通信システムにおいて、
前記一方の通信制御装置は、
ステレオマイクからのステレオ音声を前記ネットワークに伝送するステレオ音声送信手段と、
前記ネットワークから伝送されてきた音声をステレオスピーカから出力するステレオ音声出力手段と、
前記ステレオマイクから取り込まれた前記ステレオスピーカからの音声を相殺するステレオエコーキャンセラとを備えており、
前記他方の通信制御装置は、
複数のマイクからの音声を合成して複数チャンネルで前記ネットワークに伝送するモノラル音声送信手段と、
前記ネットワークから伝送されてきた音声をスピーカから出力するモノラル音声出力手段と、
前記複数のマイクから取り込まれた前記スピーカからの音声を各々相殺するモノラルエコーキャンセラとを備えており、
前記他方の通信制御装置における前記モノラル音声送信手段は、前記複数のマイクの位置関係に応じた割合で前記複数チャンネルに音声を割り当てて伝送を行い、
前記一方の通信制御装置における前記ステレオ音声出力手段は、前記モノラル音声送信手段から送信された音声を前記割合に応じて前記ステレオスピーカから出力する
ことを特徴とするマルチメディア通信システム。
【請求項２】
前記他方の通信制御装置における前記モノラル音声送信手段は、前記複数のマイクが前記他方の通信制御装置から離れるほど前記割合が小さくなるよう設定する
ことを特徴とする請求項１記載のマルチメディア通信システム。
【請求項３】
前記複数のマイクの位置関係は、前記他方の通信制御装置に接続されたカメラによって撮影される各マイクの撮影位置によって決定される
ことを特徴とする請求項１記載のマルチメディア通信システム。
【請求項４】
ネットワークを介して映像および音声を双方向で伝送するマルチメディア通信システムで用いられる通信制御装置において、
複数のマイクからの音声を合成して複数チャンネルで前記ネットワークに伝送するモノラル音声送信手段と、
前記ネットワークから伝送されてきた音声をスピーカから出力するモノラル音声出力手段と、
前記複数のマイクから取り込まれた前記スピーカからの音声を各々相殺するモノラルエコーキャンセラとを備えており、
前記モノラル音声送信手段は、前記複数のマイクの位置関係に応じた割合で前記複数チャンネルに音声を割り当てて伝送を行う
ことを特徴とする通信制御装置。
【請求項５】
前記モノラル音声送信手段は、前記複数のマイクが前記他方の通信制御装置から離れるほど前記割合が小さくなるよう設定する
ことを特徴とする請求項４記載の通信制御装置。
【請求項６】
前記複数のマイクの位置関係は、カメラによって撮影される各マイクの撮影位置によって決定される
ことを特徴とする請求項４記載の通信制御装置。
【発明の詳細な説明】
【技術分野】
【０００１】
本発明は、ネットワークを介して映像および音声を双方向で伝送するマルチメディア通信システムおよびこのマルチメディア通信システムにおいて双方向通信を制御する通信制御装置に関する。
【背景技術】
【０００２】
近年、ネットワークを介して映像や音声を双方向で伝送するマルチメディア通信システムが考えられている。例えば、テレビ会議システムでは、ネットワークを介して２地点もしくは多地点の通信制御装置を接続して、各通信制御装置で取り込んだ映像や音声をネットワーク経由で他の通信制御装置へ伝送し、他の通信制御装置ではネットワークを介して伝送された映像および音声をモニタおよびスピーカによって出力している。このように、ネットワークを介して接続される各信制御装置間で映像や音声の双方向通信を行って、テレビ会議システムが構築される（例えば、特許文献１参照）。
【０００３】
【特許文献１】特開２００４−２０８０５１号公報
【発明の開示】
【発明が解決しようとする課題】
【０００４】
ここで、双方向通信を行うマルチメディア通信システムにおいては、一方の通信制御装置のマイクから入力した音声がスピーカから出力され、その音声が再度マイクから入力されることによってエコーが発生することから、各通信制御装置にはこれを相殺するエコーキャンセラが設けられている。近年では、高音質の通信を行うためステレオマイクおよびステレオスピーカによるステレオ音声システムもあり、このシステムにはステレオエコーキャンセラが設けられている。しかしながら、ステレオエコーキャンセラは、ステレオエコーキャンセラ同士でしか機能できず、モノラルエコーキャンセラを備えた通信制御装置が混在している場合は、モノラルエコーキャンセラとして機能することになる。したがって、ステレオ音声システムを備えた通信制御装置があっても臨場感のある音声通信システムを実現できないという問題が生じている。
【課題を解決するための手段】
【０００５】
本発明はこのような課題を解決するために成されたものである。すなわち、本発明は、ネットワークを介して一方の通信制御装置と他方の通信制御装置との間で映像および音声を双方向で伝送するマルチメディア通信システムにおいて、一方の通信制御装置は、ステレオマイクからのステレオ音声をネットワークに伝送するステレオ音声送信手段と、ネットワークから伝送されてきた音声をステレオスピーカから出力するステレオ音声出力手段と、ステレオマイクから取り込まれたステレオスピーカからの音声を相殺するステレオエコーキャンセラとを備えており、他方の通信制御装置は、複数のマイクからの音声を合成して複数チャンネルでネットワークに伝送するモノラル音声送信手段と、ネットワークから伝送されてきた音声をスピーカから出力するモノラル音声出力手段と、複数のマイクから取り込まれたスピーカからの音声を各々相殺するモノラルエコーキャンセラとを備えており、他方の通信制御装置におけるモノラル音声送信手段が、複数のマイクの位置関係に応じた割合で複数チャンネルに音声を割り当てて伝送を行い、一方の通信制御装置におけるステレオ音声出力手段が、モノラル音声送信手段から送信された音声を前記割合に応じてステレオスピーカから出力するものである。
【０００６】
このような本発明では、ステレオ音声システムを備える一方の通信制御装置と、モノラル音声システムを備える他方の通信制御装置との間で音声通信を行う場合、他方の通信制御装置におけるモノラル音声送信手段では、複数のマイクから取り込んだ各音声をその複数のマイクの位置関係に応じた割合で複数チャンネルに割り当てて伝送することから、一方の通信制御装置のステレオ音声出力手段では、他方の通信制御装置から送られてきた複数チャンネルの音声をステレオスピーカから出力することで、他方の通信制御装置における複数のマイクの位置関係に応じたバランスで臨場感のある音声を聞くことができる。
【０００７】
また、本発明は、ネットワークを介して映像および音声を双方向で伝送するマルチメディア通信システムで用いられる通信制御装置において、複数のマイクからの音声を合成して複数チャンネルで前記ネットワークに伝送するモノラル音声送信手段と、ネットワークから伝送されてきた音声をスピーカから出力するモノラル音声出力手段と、複数のマイクから取り込まれたスピーカからの音声を各々相殺するモノラルエコーキャンセラとを備えており、モノラル音声送信手段が、複数のマイクの位置関係に応じた割合で複数チャンネルに音声を割り当てて伝送を行うものである。
【０００８】
このような本発明では、複数のマイクから取り込んだ音声を複数チャンネルによって伝送するモノラル音声送信手段が、複数のマイクの位置関係に応じた割合で複数チャンネルに割り当てた音声を伝送することから、モノラル伝送でありながら複数のマイクの位置関係に応じたバランスで臨場感のある音声を送信することができる。
【発明の効果】
【０００９】
したがって、本発明によれば、ステレオ音声システムを備えた通信制御装置とモノラル音声システムを備えた通信制御装置とがネットワークを介して双方向通信する場合でも、臨場感のある音声伝送を実現することが可能となる。
【発明を実施するための最良の形態】
【００１０】
以下、本発明の実施の形態を図に基づき説明する。図１は、本実施形態に係るマルチメディア通信システムのネットワーク構成図である。すなわち、マルチメディア通信システムは、ネットワークＮを介して複数の通信制御装置１０が接続された構成であり、各通信制御装置１０間で音声や映像をネットワークＮ経由で双方向通信できるようになっている。ネットワークＮとしてはＬＡＮやＷＡＮ（ＩＰネットワーク、ＩＳＤＮネットワーク等）、専用回線などであり、このマルチメディア通信システムによって例えばテレビ会議システムを構成することができる。
【００１１】
マルチメディア通信システムでは、各通信制御装置１０によって音声や映像の入出力を行うため、音声の入力（マイク）や出力（スピーカ）、映像の入力（カメラ）や出力（モニタ）がそれぞれ設けられている。本実施形態のマルチメディア通信システムは、ステレオ音声を送受信できる通信制御装置とモノラル音声を送受信できる通信制御装置とがシステム内に混在する場合にも臨場感のある音声送受信を可能にする点に特徴がある。
【００１２】
図２は、通信制御装置における音声入出力部分の構成を説明するブロック図である。このうち図２（ａ）はステレオ音声システムを備えた構成、図２（ｂ）はモノラル音声システムを備えた構成である。図２（ａ）に示すように、ステレオ音声システムを備えた構成では、ステレオマイク（ＭＩＣ  Ｒ、ＭＩＣ  Ｌ）から取り込んだステレオ音声をネットワークに伝送するステレオ音声送信手段１１と、ネットワークから伝送されてきた音声をステレオスピーカ（ＳＰＫ  Ｒ、ＳＰＫ  Ｌ）から出力するステレオ音声出力手段１２と、ステレオマイク（ＭＩＣ  Ｒ、ＭＩＣ  Ｌ）から取り込まれたステレオスピーカ（ＳＰＫ  Ｒ、ＳＰＫ  Ｌ）からの音声を相殺するステレオエコーキャンセラ１３とを備えている。
【００１３】
一方、図２（ｂ）に示すように、モノラル音声システムを備えた構成では、マイク（ＭＩＣ）から取り込んだ音声をネットワークに伝送するモノラル音声送信手段２１と、ネットワークから伝送されてきた音声をスピーカ（ＳＰＫ）から出力するモノラル音声出力手段２２と、マイク（ＭＩＣ）から取り込まれたスピーカ（ＳＰＫ）からの音声を相殺するモノラルエコーキャンセラ２３とを備えている。
【００１４】
一般に、マルチメディア通信システムにおいてネットワークに接続される全ての通信制御装置がステレオ音声システムを備えている場合、各通信制御装置間ではステレオ音声による高音質の双方向通信を行うことができる。しかし、一部の通信制御装置がモノラル音声システムしか持たない場合は、ステレオ音声システムを持つ通信制御装置ではそのシステムを生かすことができない。例えば、モノラル音声システムを備える通信制御装置に複数のマイクがカスケード接続されている場合、各マイクから取り込んだ音声を一つに合成して伝送するため、ステレオ音声システムを備えた通信制御装置においてこの音声を受信すると、全てのマイクの合成音声が左右のスピーカ（ＳＰＫ  Ｒ、ＳＰＫ  Ｌ）から均等に出力されることになる。
【００１５】
本実施形態では、ネットワークに接続される通信制御装置にモノラル音声システムを備えるものがあっても、そこから送信された音声についてステレオ音声システムを備えた通信制御装置で臨場感のある音声出力を実現できるようになっている。
【００１６】
図３は、本実施形態に係るマルチメディア通信システムでの動作を説明する模式図である。先ず、一方の通信制御装置１０ａはステレオ音声システムを備えており、他方の通信制御装置１０ｂはモノラル音声システムを備えている。すなわち、ステレオ音声システムを備える一方の通信制御装置１０ａでは、ステレオマイク（ＭＩＣ  Ｒ、ＭＩＣ  Ｌ）とステレオスピーカ（ＳＰＫ  Ｒ、ＳＰＫ  Ｌ）が接続され、モノラル音声システムを備える他方の通信制御装置１０ｂでは、一つのスピーカ（ＳＰＫ）とカスケード接続される複数のマイク（ここではＭＩＣ  Ｒ１〜Ｒ４、ＭＩＣ  Ｌ１〜Ｌ４の８つ）が接続されている。
【００１７】
このような形態から成るマルチメディア通信システムでは、一方の通信制御装置１０ａと他方の通信制御装置１０ｂとの間で２点間通信を行い、一方の通信制御装置１０ａからはステレオ音声を送信でき、他方の通信制御装置１０ｂからは複数のマイク（ＭＩＣ  Ｒ１〜Ｒ４、ＭＩＣ  Ｌ１〜Ｌ４）で取り込んだ音声を合成して複数チャンネル（例えば、左右２チャンネル）で音声送信できる。以下、このシステムにおける音声通信の流れを説明する。
【００１８】
（一方の通信制御装置１０ａから他方の通信制御装置１０ｂへの音声送信）
一方の通信制御装置１０ａのステレオマイク（ＭＩＣ  Ｒ、ＭＩＣ  Ｌ）から入力した音声は、通信制御装置１０ａ内部のステレオエコーキャンセラによってエコーキャンセルした後、ネットワークを介して他方の通信制御装置１０ｂへ伝送される。ステレオエコーキャンセラでは、一つのマイクに対して左右２つのスピーカからの音声をエコーキャンセルする構成であり、したがって左右２つのマイクがある場合には合計４つのエコーキャンセラが組み込まれている。
【００１９】
（一方の通信制御装置１０ａから送られた音声を他方の通信制御装置１０ｂで出力）
一方の通信制御装置１０ａから送られたステレオ音声はネットワークを介して他方の通信制御装置１０ｂで受信され、受信したステレオ音声をモノラルにミックスしてスピーカ（ＳＰＫ）から出力する。
【００２０】
（他方の通信制御装置１０ｂから一方の通信制御装置１０ａへの音声送信）
他方の通信制御装置１０ｂにカスケード接続された複数のマイク（ＭＩＣ  Ｒ１〜Ｒ４、ＭＩＣ  Ｌ１〜Ｌ４）からそれぞれ入力した音声は、例えば各マイクに内蔵されたモノラルエコーキャンセラによってエコーキャンセルした後、各マイクの位置関係に応じた割合で複数チャンネルに割り当てて送信する。
【００２１】
各マイクの位置関係に応じた割合としては、例えば通信制御装置１０ｂとマイクとの距離が離れているほど割合を小さくしたり、通信制御装置１０ｂに接続されるモニタ（図示せず）に映し出されているマイクの表示位置によって決定したり、予め設定された値によって決定してもよい。
【００２２】
通信制御装置１０ｂからマイクの距離に応じて割り当てる例として、図３に示すようなマイクの配置があった場合、以下のような割り当てが考えられる。なお、ここでは複数チャンネルとして右（Ｒ）と左（Ｌ）の２つのチャンネルに割り当てるものとする。
マイクＭＩＣ  Ｒ１…右（Ｒ）：左（Ｌ）＝７：１
マイクＭＩＣ  Ｒ２…右（Ｒ）：左（Ｌ）＝６：２
マイクＭＩＣ  Ｒ３…右（Ｒ）：左（Ｌ）＝５：３
マイクＭＩＣ  Ｒ４…右（Ｒ）：左（Ｌ）＝４：４
マイクＭＩＣ  Ｌ１…右（Ｒ）：左（Ｌ）＝１：７
マイクＭＩＣ  Ｌ２…右（Ｒ）：左（Ｌ）＝２：６
マイクＭＩＣ  Ｌ３…右（Ｒ）：左（Ｌ）＝３：５
マイクＭＩＣ  Ｌ４…右（Ｒ）：左（Ｌ）＝４：４
【００２３】
他方の通信制御装置１０ｂは、上記のような割合で各マイクからの音声を合成して複数のチャンネルに割り当てて伝送を行う。例えば、他方の通信制御装置１０ｂ側が円卓会議室のように座席があり、各座席にマイクが配置されている場合、通信制御装置１０ｂに接続されたカメラ（図示せず）から最も近いマイク（ＭＩＣ  Ｒ１、ＭＩＣ  Ｌ１）の音声が最も大きく、しかも座席の位置に対応して左右に割り振られた音声が出力される。音声の強さは通信制御装置１０ｂつまりカメラから離れるほど小さくなっていくことになる。
【００２４】
（他方の通信制御装置１０ｂから送られた音声を一方の通信制御装置１０ａで出力）
上記のような割合で他方の通信制御装置１０ｂから送られた複数チャンネルの音声はネットワークを介して一方の通信制御装置１０ａで受信され、受信した複数チャンネルの音声をステレオスピーカ（ＳＰＫ  Ｒ、ＳＰＫ  Ｌ）から出力する。
【００２５】
この際、各チャンネルの音声はステレオスピーカの左右に割り当てられて出力されるが、他方の通信制御装置１０ｂから送られた複数チャンネルの音声として各マイク（ＭＩＣ  Ｒ１〜Ｒ４、ＭＩＣ  Ｌ１〜Ｌ４）によって複数チャンネルへの割り当て配分が異なっているため、一方の通信制御装置１０ａのステレオスピーカ（ＳＰＫ  Ｒ、ＳＰＫ  Ｌ）から出力される音声では各マイク（ＭＩＣ  Ｒ１〜Ｒ４、ＭＩＣ  Ｌ１〜Ｌ４）の位置関係に応じたバランスによって出力されることになる。これにより、モノラル音声システムを備えた他方の通信制御装置１０ｂから送られる音声であっても複数のマイク（ＭＩＣ  Ｒ１〜Ｒ４、ＭＩＣ  Ｌ１〜Ｌ４）の位置関係に応じた臨場感で出力できることになる。
【００２６】
例えば、先に示したように、他方の通信制御装置１０ｂが円卓会議室のような座席レイアウトである場合、カメラで映し出された座席の位置すなわちマイクの位置に応じた割合（強さおよび左右バランス）で音声が出力されることから、その映像をモニタで参照している一方の通信制御装置１０ａ側ではモニタに映る座席の位置が近いほど大きく、また右側に映る座席からの音声は右寄りに、左側に映る座席からの音声は左寄りに聞こえるようになる。
【００２７】
このように、他方の通信制御装置１０ｂがモノラル音声システムであっても、一方の通信制御装置１０ａ側ではマイクの位置関係に応じた臨場感のある音声出力を得ることが可能となる。
【００２８】
図４は、他の実施形態を説明する模式図である。この実施形態では、多地点でのテレビ会議システムを構成しており、ここでは会議室Ａがステレオ音声システムを備えた通信制御装置１０ａ、会議室Ｂ、Ｃがモノラル音声システムを備えた通信制御装置１０ｂ、１０ｃとなっている例である。
【００２９】
すなわち、会議室Ａの通信制御装置１０ａはステレオ音声システムを備えているため、ステレオマイク（ＭＩＣ  Ｒ、ＭＩＣ  Ｌ）とステレオスピーカ（ＳＰＫ  Ｒ、ＳＰＫ  Ｌ）とが接続されている。一方、会議室Ｂ、Ｃの通信制御装置１０ｂ、１０ｃはモノラル音声システムを備えているため、各々通信制御装置１０ｂ、１０ｃにマイク（ＭＩＣ）とスピーカ（ＳＰＫ）とが接続されている。
【００３０】
会議室Ｂ、Ｃの通信制御装置１０ｂ、１０ｃはモノラル音声システムであるため、ネットワークを介して送られる音声についてはスピーカ（ＳＰＫ）からモノラル音声として出力される。また、マイク（ＭＩＣ）で入力した音声は複数チャンネル（ここでは左右の２チャンネル）に同じ割合で振り分けて送信される。
【００３１】
一方、会議室Ａの通信制御装置１０ａはステレオ音声システムを備えているが、通常では、モノラル音声システムを有する会議室Ｂ、Ｃから送られてきた音声はモノラルとして合成され、左右のスピーカ（ＳＰＫ  Ｒ、ＳＰＫ  Ｌ）から出力される。しかしながら、本実施形態では、会議室Ｂから送られてきた音声と会議室Ｃから送られてきた音声とを所定の割合で複数のチャンネルに振り分けて出力する。
【００３２】
例えば、会議室Ａの通信制御装置１０ａにおける左のスピーカ（ＳＰＫ  Ｌ）からは、会議室Ｂから送られてきた音声の１００％と、会議室Ｃから送られてきた音声の５０％とを合成したものを出力し、右のスピーカ（ＳＰＫ  Ｒ）からは、会議室Ｃから送られてきた音声の１００％と、会議室Ｂから送られてきた音声の５０％とを合成したものを出力する。これにより、会議室Ｂから送られてきた音声は右寄りに聞こえ、会議室Ｃから送られてきた音声は左寄りに聞こえることになる。
【００３３】
左右のスピーカ（ＳＰＫ  Ｌ、ＳＰＫ  Ｒ）へ割り当てる割合は、例えば会議室Ａの通信制御装置１０ａに接続されるモニタ（図示せず）に映し出されている各会議室の表示位置によって決定したり、予め設定された値によって決定してもよい。
【００３４】
図５は、モニタに表示位置による割り当て例を説明する模式図である。図５（ａ）に示す例は、モニタが縦横２×２の４分割表示となっており各ウィンドウに会議室Ａ〜Ｄの映像が割り当てられているものである。この例では、モニタの左上ウィンドウに会議室Ａの映像、右上ウィンドウに会議室Ｂの映像、左下ウィンドウに会議室Ｃの映像、右下ウィンドウに会議室Ｄの映像がレイアウトされている。
【００３５】
このようなモニタ画面が図４に示す会議室Ａで映し出されている場合、会議室Ａの左右のスピーカ（ＳＰＫ  Ｌ、ＳＰＫ  Ｒ）からは次のような割合で音声を出力する。すなわち、左のスピーカ（ＳＰＫ  Ｌ）からは、会議室Ｃの音声の１００％、会議室Ａの音声の７５％、会議室Ｂの音声の２５％を合成したものを出力し、右のスピーカ（ＳＰＫ  Ｒ）からは、会議室Ｄの音声の１００％、会議室Ｂの音声の７５％、会議室Ａの音声の２５％を合成したものを出力する。つまり、モニタ画面のレイアウトに応じた割合で左右のスピーカ（ＳＰＫ  Ｌ、ＳＰＫ  Ｒ）の合成割合を決定することによって、モニタに表示される会議室の映像のレイアウトに対応した臨場感のある音声出力を行うことが可能となる。
【００３６】
また、図５（ｂ）に示す例は、モニタが４分割表示となっているが、１つのウィンドウが他の３つのウィンドウより大きく分割されたものである。この例では、左端に並ぶ３つの小ウィンドウに会議室Ａ、会議室Ｂ、会議室Ｃの映像がレイアウトされ、１つの大ウィンドウに会議室Ｂの映像がレイアウトされている。
【００３７】
このようなモニタ画面が図４に示す会議室Ａで映し出されている場合、会議室Ａの左右のスピーカ（ＳＰＫ  Ｌ、ＳＰＫ  Ｒ）からは次のような割合で音声を出力する。すなわち、左のスピーカ（ＳＰＫ  Ｌ）からは、会議室Ａの音声の１００％、会議室Ｂの音声の１００％、会議室Ｃの音声の１００％、会議室Ｄの音声の１００％を合成したものを出力し、右のスピーカ（ＳＰＫ  Ｒ）からは、会議室Ｂの音声の１００％を出力する。つまり、モニタ画面略中央に最も大きなウィンドウで表示される会議室Ｂの音声については左右両方のスピーカ（ＳＰＫ  Ｌ、ＳＰＫ  Ｒ）から音声を表示することで中央から大きな音の出力となり、モニタ画面左側に小さなウィンドウで表示される会議室Ａ〜Ｃの音声については左のスピーカ（ＳＰＫ  Ｌ）のみから音声を出力することで左寄りで、かつ会議室Ｂの音声より弱い出力となる。これにより、ウィンドウの位置およびサイズに対応した臨場感のある音声出力を行うことが可能となる。
【００３８】
なお、図５（ｂ）に示す例で、会議室Ｂがステレオ音声システムを備えている場合は、会議室Ａの左のスピーカ（ＳＰＫ  Ｌ）からは、会議室Ａの音声の１００％、会議室Ｂの左音声の１００％、会議室Ｃの音声の１００％、会議室Ｄの音声の１００％を合成したものを出力し、右のスピーカ（ＳＰＫ  Ｒ）からは、会議室Ｂの右音声の１００％を出力する。これにより、会議室Ｂのステレオ音声を生かした出力とともに、ウィンドウの位置およびサイズに対応した臨場感のある音声出力を行うことが可能となる。
【図面の簡単な説明】
【００３９】
【図１】本実施形態に係るマルチメディア通信システムのネットワーク構成図である。
【図２】通信制御装置における音声入出力部分の構成を説明するブロック図である。
【図３】本実施形態に係るマルチメディア通信システムでの動作を説明する模式図である。
【図４】他の実施形態を説明する模式図である。
【図５】モニタに表示位置による割り当て例を説明する模式図である。
【符号の説明】
【００４０】
１０…通信制御装置、１１…ステレオ音声送信手段、１２…ステレオ音声出力手段、１３…ステレオエコーキャンセラ、２１…モノラル音声送信手段、２２…モノラル音声出力手段、２３…モノラルエコーキャンセラ
【図１】
2007281668.tif 000003
【図２】
2007281668.tif 000004
【図３】
2007281668.tif 000005
【図４】
2007281668.tif 000006
【図５】
2007281668.tif 000007